(57)【要約】【課題】車載用純正ナビゲーションを非純正ナビゲーションに交換した際、該非純正ナビゲーションに付随する純正オプション部品および接続コードをそのまま使用して、非純正ナビゲーションに接続できるようにした変換ハーネスを提供する。  【解決手段】純正ナビゲーション１を非純正ナビゲーション９に交換した際、前記純正ナビゲーション１の専用コネクタ７で接続された汎用信号を、汎用のＲＣＡジャック、ＲＣＡプラグ、ミニジャック、ミニプラグ、ＵＳＢ、ＩＥＥＥ  １３９４、Ｄ端子、ＨＤＭＩ端子、ＢＮＣコネクタ、またはＦ型コネクタ等に変換して、純正オプション部品６および既設の配線コード８をそのまま使用して、非純正ナビゲーション９に接続できるようにした変換ハーネス１０を形成する。【選択図】図２
2008189081.tif 000002
【特許請求の範囲】
【請求項１】
純正ナビゲーションを非純正ナビゲーションに交換した際、前記純正ナビゲーションの専用コネクタで接続された汎用信号を、汎用のＲＣＡジャック、ＲＣＡプラグ、ミニジャック、ミニプラグ、ＵＳＢ、ＩＥＥＥ  １３９４、Ｄ端子、ＨＤＭＩ端子、ＢＮＣコネクタ、またはＦ型コネクタ等に変換して、純正オプション部品および既設の配線コードをそのまま使用して、非純正ナビゲーションに接続できるようにしたことを特徴とする車載用純正ナビゲーションを非純正ナビゲーションに交換して、該非純正ナビゲーションと純正オプション部品とを接続する変換ハーネス。
【発明の詳細な説明】
【技術分野】
【０００１】
本発明は、車載用純正ナビゲーションを非純正ナビゲーションに交換した際、該非純正ナビゲーションに付随する純正のバックカメラ、フロントカメラ、ドアミラーカメラおよびマイク等の純正オプション部品をそのまま使用して、非純正ナビゲーションに接続できるようにした変換ハーネスに関するものである。
【背景技術】
【０００２】
最近の車載用純正ナビゲーションは、高機能化しており、これに付随する純正のバックカメラ、フロントカメラ、ドアミラーカメラおよびマイク等の純正オプション部品が、配線ケーブルを内張りから露出することなく、整然と配線されて車内の所定個所に設置されている。
【０００３】
そして、純正ナビゲーションを市販の非純正ナビゲーションに交換して、該非純正ナビゲーションに純正オプション部品をそのまま使用して、非純正ナビゲーションに接続する際に使用する変換ハーネスにつき、過去の特許文献を遡及検索しても、該変換ハーネスに関する特許文献は全く存在していない。
【発明の開示】
【発明が解決しようとする課題】
【０００４】
前記純正ナビゲーションを市販の非純正ナビゲーションに交換する場合、信号自体は汎用信号であるにも拘らず、コネクタの形状の違いによって、純正オプション部品と組合せた転用はできないという課題があった。
【０００５】
また、市販の非純正ナビゲーションは相当の種類が販売されているが、該非純正ナビゲーションに純正オプション部品を接続しようとする場合には、前記のように、コネクタの形状が異なるために、内張りから露出することなく、目立たないように整然と配線されている既設の配線コードそのまま放置して、前記内張りを剥がした後、非純正ナビゲーションのコネクタの形状と合った配線コードを、前記既設の配線コードと平行に配線し、再び内張りを張り直すという膨大な作業を伴うという課題があった。
【０００６】
本発明は、前記従来の課題を解決すべくなしたものであって、純正ナビゲーションを非純正ナビゲーションに交換した際、前記純正ナビゲーションの専用コネクタで接続された汎用信号を、汎用のＲＣＡジャック、ＲＣＡプラグ、ミニジャック、ミニプラグ、ＵＳＢ、ＩＥＥＥ  １３９４、Ｄ端子、ＨＤＭＩ端子、ＢＮＣコネクタ、またはＦ型コネクタ等に変換して、純正オプション部品および既設の配線コードをそのまま使用して、非純正ナビゲーションに接続できるようにした変換ハーネスを提供しようとするものである。
【課題を解決するための手段】
【０００７】
本発明は、純正ナビゲーションを非純正ナビゲーションに交換した際、前記純正ナビゲーションの専用コネクタで接続された汎用信号を、汎用のＲＣＡジャック、ＲＣＡプラグ、ミニジャック、ミニプラグ、ＵＳＢ、ＩＥＥＥ  １３９４、Ｄ端子、ＨＤＭＩ端子、ＢＮＣコネクタ、またはＦ型コネクタ等に変換して、純正オプション部品および既設の配線コードをそのまま使用して、非純正ナビゲーションに接続できるようにするという手段を採用することにより、上記課題を解決した。
【発明の効果】
【０００８】
本発明は、純正ナビゲーションを非純正ナビゲーションに交換した際、前記純正ナビゲーションの専用コネクタで接続された汎用信号を、汎用のＲＣＡジャック、ＲＣＡプラグ、ミニジャック、ミニプラグ、ＵＳＢ、ＩＥＥＥ  １３９４、Ｄ端子、ＨＤＭＩ端子、ＢＮＣコネクタ、またはＦ型コネクタ等に変換して、純正オプション部品および既設の配線コードをそのまま使用して、非純正ナビゲーションに接続できるようにしたので、従来のように、内張りから露出することなく、目立たないように整然と配線されている既設の配線コードはそのまま放置して、前記内張りを剥がした後、非純正ナビゲーションのコネクタの形状と合った配線コードを、前記既設の配線コードと平行に配線し、再び内張りを張り直すという膨大な作業をする必要がなく、作業の手間がかからず、安価に提供できる。  
【実施例】
【０００９】
本発明の実施例を図面に基づいて詳細に説明すると、図１は従来の車載用の純正ナビゲーションと純正オプション部品との接続状態を示す概略説明図である。そして、図１に示すように、従来の車載用の純正ナビゲーション１は、運転席の前に設置されると共に、該純正ナビゲーション１には、例えばバックカメラ２、フロントカメラ３、ドアミラーカメラ４およびマイク５等の純正オプション部品６を接続するための入出力端子（図示せず）を備えた、車輌配線用の１個または複数個の専用コネクタ７（図１においては、１個の専用コネクタ７が図示されている）を備え、且つ該専用コネクタ７の入出力端子（図示せず）に接続された複数の配線コード８が前記純正オプション部品６を設置する場所まで、内張りから露出することなく、目立たないようにして整然と車内部に配線されている。
【００１０】
本発明は、前記図１に示されている内張りから露出することなく、目立たないよう車内部に配線されている配線コード８、および該配線コード８に接続されたバックカメラ２、フロントカメラ３、ドアミラーカメラ４およびマイク５等の純正オプション部品６はそのままにして、前記純正ナビゲーション１を市販の非純正ナビゲーション９に交換しても、前記各純正オプション部品６を正常に作動させることができるようにした変換ハーネスである。
【００１１】
本発明者は、純正ナビゲーション１から前記各純正オプション部品６を制御する信号自体は、汎用信号である点に着目して、本発明をなしたものである。すなわち、本発明者は、純正ナビゲーション１に付属する専用コネクタ７で接続された汎用信号を、汎用のＲＣＡジャック、ＲＣＡプラグ、ミニジャック、ミニプラグ、ＵＳＢ、ＩＥＥＥ  １３９４、Ｄ端子、ＨＤＭＩ端子、ＢＮＣコネクタ、またはＦ型コネクタ等に変換することができるよう、市販の非純正ナビゲーション９に前記純正オプション部品６を接続するため、前記専用コネクタ７と非純正ナビゲーション９とを接続する変換ハーネス１０が設けられている。
【００１２】
図２は、純正ナビゲーション１を非純正ナビゲーション９に交換して、該非純正ナビゲーション９と純正オプション部品６とを接続する状態を示す分解平面図である。すなわち、前記変換ハーネス１０は、前記専用コネクタ７の入出力端子１１に接続する入出力端子１２を、該専用コネクタ７側に備えると共に、前記入出力端子１２と接続する複数本の変換コード１３の各基端部を一体に連結して変換用コネクタ１４を設け、更に、該複数本の変換コード１３の各先端部に、汎用のＲＣＡジャック、ＲＣＡプラグ、ミニジャック、ミニプラグ、ＵＳＢ、ＩＥＥＥ  １３９４、Ｄ端子、ＨＤＭＩ端子、ＢＮＣコネクタ、またはＦ型コネクタ等のいずれかより成る入出力端子１５をそれぞれ備えると共に、前記非純正ナビゲーション９には、前記各変換コード１３の各入出力端子１５を構成する所定のＲＣＡジャック、ＲＣＡプラグ、ミニジャック、ミニプラグ、ＵＳＢ、ＩＥＥＥ  １３９４、Ｄ端子、ＨＤＭＩ端子、ＢＮＣコネクタ、またはＦ型コネクタ等に接続するＲＣＡジャック、ＲＣＡプラグ、ミニジャック、ミニプラグ、ＵＳＢ、ＩＥＥＥ  １３９４、Ｄ端子、ＨＤＭＩ端子、ＢＮＣコネクタ、またはＦ型コネクタ等のいずれかより成る入出力端子１６を備え、前記変換コード１３の所定の入出力端子１５を前記非純正ナビゲーション９の対応する入出力端子１６に接続できるようにして形成されている。
【００１３】
前記変換ハーネス１０を構成する変換用コネクタ１４は、専用コネクタ７の入出力端子１１の数、または位置に応じて、１個または複数個形成され（図２においては、１個の変換用コネクタ１４が図示されている）、且つ該変換用コネクタ１４は、前記専用コネクタ７の端部に被冠装入して連結される。そして、前記専用コネクタ７の基端側に、既設の配線コード８を介して、それぞれ純正オプション部品６が接続される。
【００１４】
また、前記専用コネクタ７と変換用コネクタ１４との接続は、該専用コネクタ７に設けられた入出力端子１１に前記変換用コネクタ１４に設けられた入出力端子１２を挿入することによってなされる。
【図面の簡単な説明】
【００１５】
【図１】従来の車載用の純正ナビゲーションと純正オプション部品との接続状態を示す概略説明図である。
【図２】純正ナビゲーションを非純正ナビゲーションに交換して、該非純正ナビゲーションと純正オプション部品とを接続する状態を示す分解平面図である。
【符号の説明】
【００１６】
１    純正ナビゲーション
２    バックカメラ
３    フロントカメラ
４    ドアミラーカメラ
５    マイク
６    純正オプション部品
７    専用コネクタ
８    配線コード
９    非純正ナビゲーション
１０  変換ハーネス
１１  入出力端子
１２  入出力端子
１３  変換コード
１４  変換用コネクタ
１５  入出力端子
１６  入出力端子
【図１】
2008189081.tif 000003
【図２】
2008189081.tif 000004